(57)【要約】【課題】薄片状、六角板状、六角柱状又はそれらに類似した形状等の酸化亜鉛を、工業的、経済的に有利に製造する方法を提供する。【解決手段】従来より、薄片状等の異方性形状酸化亜鉛粒子を製造するに際し、カルボン酸とアミン化合物を併用する技術は知れていたが、モノエタノールアミン等は危険物第４類引火性液体であるため、取扱い、保管する上で問題となっていた。亜鉛化合物と、その亜鉛化合物の亜鉛原子に対するモル比で表して、０．００１〜０．１の範囲の量のカルボン酸及び／又はその塩と、好ましくは、クエン酸及び／又はその塩と、アンモニウム化合物とを混合し水溶液のｐＨを７以上として沈殿物を析出させ、次いで、該水溶液を４０℃以上に加熱することで、アミン化合物を用いることなく、異方性形状酸化亜鉛粒子を製造できる。【選択図】図１
2015182893.tif 000002
【特許請求の範囲】
【請求項１】
亜鉛化合物と、その亜鉛化合物の亜鉛原子に対するモル比で表して、０．００１〜０．１の範囲の量のカルボン酸及び／又はその塩と、アンモニウム化合物とを混合し水溶液のｐＨを７以上として沈殿物を析出させ、次いで、該水溶液を４０℃以上に加熱する酸化亜鉛の製造方法。
【請求項２】
水溶液にアンモニウム化合物とアルカリ金属化合物とを混合する請求項１に記載の酸化亜鉛の製造方法。
【請求項３】
アンモニウム化合物の添加量が亜鉛化合物の亜鉛原子に対するモル比で表して、０．１〜１０の範囲の量である請求項１又は２に記載の酸化亜鉛の製造方法。
【請求項４】
請求項１〜３のいずれか一項に記載の方法で製造することを特徴とする酸化亜鉛。
【請求項５】
薄片状、六角板状、六角柱状又はそれらに類似した形状を有する請求項４に記載の酸化亜鉛。
【請求項６】
平均わたり径が０．１〜２０．０μｍである請求項５に記載の酸化亜鉛。
【請求項７】
針状、棒状又はそれに類似した形状を有する請求項４に記載の酸化亜鉛。
【請求項８】
針状、棒状又はそれに類似した形状を有し、端面に開口を有する酸化亜鉛。
【請求項９】
針状又は棒状の平均長軸径が０．２〜２０．０μｍである請求項７又は８に記載の酸化亜鉛。
【請求項１０】
請求項４〜９のいずれか一項に記載の酸化亜鉛を含む熱伝導性フィラー。
【請求項１１】
請求項１０に記載の熱伝導性フィラーを含む放熱性組成物。
【請求項１２】
請求項４〜９のいずれか一項に記載の酸化亜鉛を含む、紫外線遮蔽材。
【請求項１３】
請求項４〜９のいずれか一項に記載の酸化亜鉛を含む、化粧料。
【発明の詳細な説明】
【技術分野】
【０００１】
本発明は、酸化亜鉛及びその製造方法並びにその用途に関する。
【背景技術】
【０００２】
酸化亜鉛は、白色顔料、紫外線遮蔽材、熱伝導性フィラー、充填剤、吸着剤、光触媒、触媒、セラミックス原料、導電材、圧電材料、ガスセンサー、電子写真感光材料、バリスタ、蛍光体、エミッタ、電子デバイス等種々の用途に用いられており、また、化粧料、外用剤、塗料、樹脂組成物、放熱性組成物等に配合して用いられている。
【０００３】
酸化亜鉛を製造するには、例えば、亜鉛塩を含む溶液をアルカリ中和剤で中和することにより、液中で直接酸化亜鉛を製造する方法が知られている（特許文献１参照）。また、特許文献２には、前記の酸化亜鉛を直接製造するに際し、レイノルズ数３０以上の撹拌を行いながら、１秒〜１５分間で亜鉛の塩を含む水溶液と沈殿剤とを混合し、ｐＨ１１以上の母液から沈殿を生成させて、平均粒子径０．１〜０．８８μｍ、平均粒子厚さ０．０１〜０．２μｍ、平均板状比３以上の薄片状酸化亜鉛粉末を製造する方法が提案されており、沈殿生成に際し、クエン酸、エタノールアミン等の水溶性有機物を共存させることも開示している。特許文献２の実施例１４ではクエン酸１ｇ（その亜鉛化合物の亜鉛原子に対するカルボキシル基（−ＣＯＯＨ）のモル比で表して０．０２４に相当）、実施例１３ではサリチル酸１０ｇ（その亜鉛化合物の亜鉛原子に対するカルボキシル基（−ＣＯＯＨ）のモル比で表して０．１２に相当）を添加して、薄片状酸化亜鉛粉末を製造している。
【０００４】
また、特許文献３には、亜鉛化合物と、その亜鉛化合物の亜鉛原子に対するモル比で表して、０．００１〜０．０１の範囲の量のカルボン酸及び／又はその塩とを混合した水溶液にアミン化合物を添加し水溶液のｐＨを７以上として沈殿物を析出させ、次いで、該水溶液を４０℃以上に加熱することにより、六角柱の形状を有し、その柱の平均短軸径が０．５〜５．０μｍであり、平均長軸径が０．５〜１０．０μｍである酸化亜鉛、特に、鼓に類似した形状を有する酸化亜鉛を製造できることを開示している。
【先行技術文献】
【特許文献】
【０００５】
【特許文献１】特開昭５３−１１６２９６号公報
【特許文献２】特許第２６８３３８９号公報
【特許文献３】特開２００８−２５４９９２号公報
【発明の概要】
【発明が解決しようとする課題】
【０００６】
前記の従来技術は、亜鉛塩を含む溶液を水酸化ナトリウム、アンモニア等のアルカリ中和剤で中和して酸化亜鉛を直接析出させることにより、薄片状、針状の粒子形状を有する酸化亜鉛を製造することができたり、板状形状を有する酸化亜鉛粒子が集積した球状形状を有する集積体が得られたりする。しかしながら、特許文献１の酸化亜鉛は、粒子径、形状のばらつきが大きく結晶性が低いなどの問題がある。特許文献２の薄片状酸化亜鉛は、嵩密度が高く充填性が低いなどの問題がある。また、特許文献３の六角柱状の酸化亜鉛は、危険物第４類引火性液体であるモノエタノールアミン等を使用しているため、取扱い、保管する上で問題となる。
【０００７】
酸化亜鉛はそれぞれの用途に応じて、形状、大きさ、結晶性等の制御が求められている。例えば、熱伝導性フィラー、充填剤、セラミックス原料等に用いる場合は、薄片状や針状の粒子では嵩密度が高いことから、嵩密度が低く、充填性の良い酸化亜鉛が求められている。また、熱伝導性フィラー、光触媒、触媒、セラミックス原料、導電材、圧電材料等に用いる場合は、充填性に加えて結晶性の良い酸化亜鉛が求められている。また、化粧料、外用剤、塗料、樹脂組成物、放熱性組成物等に配合して用いる場合は、分散性の良い酸化亜鉛が求められている。
【課題を解決するための手段】
【０００８】
本発明者らは、アミン化合物を使用せずにあるいはアミン化合物の使用量を減らして、酸化亜鉛の粒子形状、粒子径やそれらの集積体の形状、大きさ等を制御する方法を探索した結果、亜鉛化合物と、その亜鉛化合物の亜鉛原子に対するモル比で表して、０．００１〜０．１の範囲の量のカルボン酸及び／又はその塩とを混合した水溶液にアンモニウム化合物を添加し水溶液のｐＨを７以上として沈殿物を析出させ、次いで、該水溶液を４０℃以上に加熱すると、薄片状、六角板状、六角柱状又はそれらに類似した形状を有する酸化亜鉛、針状、棒状又はそれに類似した形状を有する酸化亜鉛、針状、棒状又はそれに類似した形状を有し、端面に開口を有する酸化亜鉛等、種々の形状に制御することができることなどを見出し、本発明を完成した。
【０００９】
すなわち、本発明は、
（１）亜鉛化合物と、その亜鉛化合物の亜鉛原子に対するモル比で表して、０．００１〜０．１の範囲の量のカルボン酸及び／又はその塩と、アンモニウム化合物とを混合し水溶液のｐＨを７以上として沈殿物を析出させ、次いで、該水溶液を４０℃以上に加熱することを特徴とする酸化亜鉛の製造方法、
（２）前記の（１）の方法により製造される薄片状、六角板状、六角柱状又はそれらに類似した形状を有する酸化亜鉛、
（３）前記の（１）の方法により製造される針状、棒状又はそれに類似した形状を有する酸化亜鉛、
（４）針状、棒状又はそれに類似した形状を有し、端面に開口を有する酸化亜鉛、
（５）前記の酸化亜鉛を含む熱伝導性フィラー、その熱伝導性フィラーを含む放熱性組成物、
（６）前記の酸化亜鉛を含む紫外線遮蔽材、その紫外線遮蔽剤を含む化粧料等である。
【発明の効果】
【００１０】
本発明の酸化亜鉛の製造方法は、亜鉛化合物とカルボン酸及び／又はその塩とアンモニウム化合物とを混合し水溶液のｐＨを７以上として沈殿物を析出させる方法であって、危険物のアミン化合物を使用せずにあるいはアミン化合物の使用量を減らして、生産性よく製造することができる。
また、本発明の酸化亜鉛は、薄片状、六角板状、六角柱状、針状、棒状又はそれらに類似した形状を有し、形状や大きさが整い、結晶性や分散性が良く、嵩密度が低く充填性が良いことから、熱伝導性フィラー、充填剤、白色顔料、セラミックス原料等に用いることができ、化粧料、外用剤、塗料、樹脂組成物、放熱性組成物等に配合することができる。化粧料に配合すると、特定の大きさを有することから分散性が良く肌へのすべり感が良くなる。
【図面の簡単な説明】
【００１１】
【図１】実施例１で製造した酸化亜鉛（試料Ａ）の電子顕微鏡写真である。
【図２】実施例２で製造した酸化亜鉛（試料Ｂ）の電子顕微鏡写真である。
【発明を実施するための形態】
【００１２】
本発明の酸化亜鉛の製造方法は、亜鉛化合物と、その亜鉛化合物の亜鉛原子に対するモル比で表して、０．００１〜０．１の範囲の量のカルボン酸及び／又はその塩と、アンモニウム化合物とを混合し水溶液のｐＨを７以上として沈殿物を析出させ、次いで、該水溶液を４０℃以上に加熱することを特徴とする。亜鉛化合物は、水溶性のものであればどのようなものでも用いることができ、例えば硫酸亜鉛、硝酸亜鉛、塩化亜鉛、酢酸亜鉛等を用いることができる。種々の形状の酸化亜鉛粒子、その酸化亜鉛粒子が集積した種々の形状の集積体が得られ易いことから硫酸亜鉛が好ましい。また、金属亜鉛、酸化亜鉛、水酸化亜鉛等、中性の水に溶解しないものでも、酸、アルカリ金属化合物に溶解する化合物であれば、上記の亜鉛化合物と同様に用いることができる。
【００１３】
前記のカルボン酸はカルボキシル基を有する化合物であり、制限なく用いることができるが、例えば、次のようなものを用いることができ、特にクエン酸及び／又はその塩を用いると種々の形状制御ができやすいため好ましい。
（１）ポリカルボン酸、特にジカルボン酸、トリカルボン酸、例えば、シュウ酸、フマル酸。
（２）ヒドロキシポリカルボン酸、特にヒドロキシジ−又はヒドロキシトリ−カルボン酸、例えばリンゴ酸、クエン酸又はタルトロン酸。
（３）（ポリヒドロキシ）モノカルボン酸、例えばグルコヘプトン酸又はグルコン酸。
（４）ポリ（ヒドロキシカルボン酸）、例えば酒石酸。
（５）ジカルボキシルアミノ酸及びその対応するアミド、例えばアスパラギン酸、アスパラギン又はグルタミン酸。
（６）ヒドロキシル化され又はヒドロキシル化されていないモノカルボキシルアミノ酸、例えばリジン、セリン又はトレオニン。
カルボン酸塩としては、どのような塩でも制限なく用いることができるが、例えばナトリウム、カリウム等のアルカリ金属塩、アンモニウム塩等を用いることができる。カルボン酸及び／又はその塩の量は、その亜鉛化合物の亜鉛原子に対するカルボキシル基（−ＣＯＯＨ）及びその塩（−ＣＯＯＭ、ここで、Ｍはアルカリ金属、アンモニウム等を示す。）の合量のモル比で表すが、これはカルボキシル基（−ＣＯＯＨ）とその塩（−ＣＯＯＭ）の合量が酸化亜鉛の粒子形状等に影響を及ぼすためである。例えばクエン酸は１分子中に３個のカルボシキル基を有するため、３個分の影響力がある。前記のモル比で表してカルボキシル基及び／又はその塩は亜鉛化合物の亜鉛原子に対して０．００１〜０．１が必要であり、０．００５〜０．０５の範囲の量が好ましく、０．００７〜０．０３の範囲がより好ましい。カルボキシル基のモル比を０．００１より少なくするとその添加効果が得られにくいため好ましくない。
【００１４】
前記の亜鉛化合物と特定量のカルボン酸及び／又はその塩とを混合した水溶液と、アンモニウム化合物とを混合し水溶液のｐＨを７以上として沈殿物を析出させる。亜鉛化合物とカルボン酸及び／又はその塩とアンモニウム化合物とを混合するには、亜鉛化合物水溶液とカルボン酸及び／又はその塩との混合溶液に撹拌下アンモニウム化合物又はその水溶液を添加し混合しても良く、また、アンモニウム化合物又はその水溶液に撹拌下亜鉛化合物水溶液とカルボン酸及び／又はその塩とのそれぞれの溶液あるいは混合溶液を添加し混合しても良いが、亜鉛化合物とカルボン酸及び／又はその塩との水溶液とアンモニウム化合物又はその水溶液とをいずれも４０℃以下に保持して混合するのが好ましい。前記の温度が４０℃よりも高いと、アンモニウム化合物との混合により部分的に酸化亜鉛が析出し不均一な状態となり易いため好ましくなく、好ましい温度は１０〜４０℃、より好ましい温度は１０〜３０℃である。加熱は、通常の反応槽、耐圧反応槽等を用いることができる。加熱中の撹拌は通常の混合撹拌の手段を用いることができ、例えば撹拌羽根を付けた撹拌機等で行うことができる。その撹拌機の運転条件は適宜設定することができる。例えば、回転数は２０〜２０００ｒｐｍ程度で行うことができ、また、下記のレイノルズ係数で表して１０以上程度が好ましく、１０〜５００００程度がより好ましい。
レイノルズ係数＝（翼径）２×撹拌速度×溶液密度／溶液粘度
混合時間は適宜設定できるが、例えば１秒〜１時間程度が好ましく、１秒〜３０分程度がより好ましい。
【００１５】
アンモニウム化合物との混合によりｐＨを７以上に調整するのが好ましいが、７よりも低いと所望の酸化亜鉛が得られにくい。好ましいｐＨは８〜１３程度、より好ましくは１１〜１３程度である。アンモニウム化合物は、アンモニアガス、アンモニア水、水酸化アンモニウム、塩化アンモニウム、硫酸アンモニウム、硝酸アンモニウム、炭酸アンモニウム、炭酸水素アンモニウム、酢酸アンモニウム等が好ましく用いられ、ｐＨを維持するために水溶液に適宜添加しても良い。アンモニウム化合物の添加量は、亜鉛化合物の亜鉛原子に対するモル比で表して、０．１〜１０の範囲の量であるのが好ましく、０．５〜５の範囲がより好ましい。また、アンモニウム化合物に加えて水溶液にアルカリ金属化合物を混合してｐＨを調整するのが好ましく、酸化亜鉛の収率が大きくなる。アルカリ金属化合物としては例えば、水酸化ナトリウム、水酸化カリウム等のアルカリ金属の水酸化物、炭酸ナトリウム、炭酸カリウム等のアルカリ金属の炭酸塩、酢酸ナトリウムなどが好ましく用いられる。このようにしてアンモニウム化合物やアルカリ金属化合物を用いると、アミン化合物を使用せずにあるいはアミン化合物を少量使用するだけで所望の酸化亜鉛を製造することができる。アンモニウム化合物を混合し所定のｐＨに調整して沈殿物を析出させた後、必要に応じて１０分〜５時間程度そのｐＨを保持しても良い。その後、撹拌しながら、前記の水溶液を好ましくは４０℃以上、より好ましくは６０〜２５０℃程度、更に好ましくは８０〜１１０℃程度に加温し熟成しても良い。この熟成により結晶性を高めることができる。所定の温度に加温した後、必要に応じて１０分〜１０時間程度その温度を保持しても良い。その際の水溶液のｐＨは沈殿物生成のｐＨを維持しても良く、徐々に低下し７〜５になっても良い。
【００１６】
亜鉛化合物とカルボン酸及び／又はその塩とアンモニウム化合物との混合水溶液には更に、塩化ナトリウム、硫酸ナトリウム、硝酸ナトリウム、塩化カリウム、硫酸カリウム、硝酸カリウム、塩化アンモニウム、硫酸アンモニウム、硝酸アンモニウム等の塩類を混合しても良く、アンモニウム化合物と混合する前の亜鉛化合物水溶液に塩類を添加するのが好ましい。塩類の添加量は、亜鉛化合物の亜鉛原子に対するモル比で表して、０．０００１以上の範囲が好ましく、０．００１〜１０程度がより好ましい。
【００１７】
このようにして得られた酸化亜鉛は、必要に応じて濾過・洗浄して固液分離し、乾燥、乾式粉砕を行うと、酸化亜鉛粉末が得られる。固液分離には、フィルタープレス、ロールプレス等の通常工業的に用いられる濾過器を用いることができる。乾燥にはバンド式ヒーター、バッチ式ヒーター、噴霧乾燥機等が、乾式粉砕にはハンマーミル、ピンミル等の衝撃粉砕機、ローラーミル、パルペライザー、解砕機等の摩砕粉砕機、ロールクラッシャー、ジョークラッシャー等の圧縮粉砕機、ジェットミル等の気流粉砕機等を用いることができる。乾燥温度は適宜設定することができるが、８０〜２００℃程度が適当である。また、必要に応じて前記の酸化亜鉛粉末を２００〜８００℃程度の温度で焼成しても良く、結晶性を更に高めることができるため好ましい。焼成は通常、空気、酸素、窒素等の雰囲気下で行うことができ、焼成時間は１０分〜１０時間程度が適当である。
【００１８】
前記の方法で製造すると、その条件によって種々の粒子形状、大きさを有する酸化亜鉛が製造できる。本発明の酸化亜鉛は、六方晶、立方晶、立方晶面心構造いずれかのＸ線回折パターンを示すＺｎＯを少なくとも５０重量％含むものであり、水酸化亜鉛や製造の際に使用する硫酸亜鉛、硝酸亜鉛、塩化亜鉛、酢酸亜鉛等の亜鉛化合物が含まれていても良い。また、製造の際に使用する亜鉛化合物を構成していた硫酸根、硝酸根、塩素、酢酸等が含まれていても良く、また、カルボン酸、その塩、アンモニウム化合物、アルカリ金属化合物等の材料が含まれていても良い。更に、酸化亜鉛の粒子表面にはシリカ、アルミナ等の無機化合物やシロキサン等の有機化合物の表面処理剤を被覆していても良い。前記の方法において、例えば、水溶液のｐＨを７．５〜７．７に維持すると六角板状の酸化亜鉛、ｐＨを７．８〜８．０に維持すると薄片状の酸化亜鉛、ｐＨを８．１〜８．６に維持すると六角柱状の酸化亜鉛が製造しやすい。また、亜鉛化合物の濃度、アンモニウム化合物等の添加量を調整すると、針状、棒状又はそれに類似した形状を有する酸化亜鉛が製造しやすく、針状、棒状又はそれに類似した形状を有し、端面に開口を有する酸化亜鉛が製造しやすい。
【００１９】
特定の形状を有する酸化亜鉛の特徴を下記する。酸化亜鉛の粒子形状は電子顕微鏡で観察することができる。酸化亜鉛の平均わたり径、厚み、平均短軸径、平均長軸径は、少なくとも２０個の粒子のわたり径（面の最も長い幅をいう）、厚み（面に垂直な高さをいう）、長軸径（最も長い軸の長さをいう）、短軸径（最も長い軸の中点に垂直な軸の最も短い長さをいう）を電子顕微鏡写真から計測して、平均わたり径、平均厚みは個数平均径を基準とし、また、それらの粒子を角柱相当体と仮定し、下記式によって算出した重量平均長軸径、重量平均短軸径を基準とする。
重量平均長軸径＝Σ（Ｌｎ・Ｌｎ・Ｄｎ２）／Σ（Ｌｎ・Ｄｎ２）
重量平均短軸径＝Σ（Ｄｎ・Ｌｎ・Ｄｎ２）／Σ（Ｌｎ・Ｄｎ２）
上記式中、ｎは計測した個々の粒子の番号を表し、Ｌｎは第ｎ番目の粒子の長軸径、Ｄｎは第ｎ番目の粒子の短軸径をそれぞれ表す。）
【００２０】
（１）薄片状又はそれらに類似した形状を有する酸化亜鉛
この酸化亜鉛は、薄片状あるいは板状の面を有し、その面に垂直方向に伸びた厚みを有する。平均わたり径は、０．１〜２０．０μｍの範囲がより好ましく、０．５〜１０．０μｍの範囲がより好ましく、１〜８．０μｍの範囲が更に好ましい。平均厚みは０．０１〜２．０μｍが好ましく、より好ましくは０．０５〜１．０μｍである。
【００２１】
（２）六角板状又はそれらに類似した形状を有する酸化亜鉛
この酸化亜鉛は、六角形の面を有し、その面に垂直方向に伸びた厚みを有する。平均わたり径は、０．１〜２０．０μｍの範囲がより好ましく、０．５〜１０．０μｍの範囲がより好ましく、１．０〜８．０μｍの範囲が更に好ましい。平均厚みは０．０１〜２．０μｍが好ましく、より好ましくは０．０５〜１．０μｍである。
【００２２】
（３）六角柱状又はそれらに類似した形状を有する酸化亜鉛
この酸化亜鉛は、六角形の面を有し、その面に垂直方向に伸びた六角柱の形状を有する。その柱の平均短軸径は０．１〜２０．０μｍが好ましく、より好ましくは０．５〜５．０μｍである。また、柱の平均長軸径は０．２〜２０．０μｍが好ましく、より好ましくは０．５〜１０．０μｍである。また、電子顕微鏡写真を詳細に観察すると、六角柱状の中央部にくびれがあり、その部分の短軸径は両端部に比べ小さい酸化亜鉛粒子がある。このような六角柱の柱の両端部と中央部の短軸径が、両端部に比し中央部の短軸径が小さい形状を本発明では鼓に類似した形状（鼓形状）という。（中央部の短軸径）／（両端部の短軸径）は、０．５〜０．９９程度が好ましく、０．７〜０．９９程度がより好ましい。このような鼓形状は、中央部のくびれ部分に存在する六角板状核晶を対称面とした成長双晶が起こったような形状を有する。
【００２３】
（４）針状、棒状又はそれに類似した形状を有する酸化亜鉛
この酸化亜鉛は、針状、棒状の形状を有する。その柱の平均短軸径は０．１〜１０．０μｍが好ましく、より好ましくは０．５〜５．０μｍである。また、柱の平均長軸径は０．２〜２０．０μｍが好ましく、より好ましくは０．５〜１０．０μｍである。
【００２４】
（５）針状、棒状又はそれに類似した形状を有し、端面に開口を有する酸化亜鉛
この酸化亜鉛は、針状、棒状の形状を有し、端面に開口を有する。端面に開口を有することからマカロニ状、あるいはそれに類似した形状というが、開口が貫通したチューブ状になっていても良く、開口が貫通していない状態でも良い。その柱の平均短軸径は０．１〜１０μｍが好ましく、より好ましくは０．５〜５．０μｍである。また、柱の平均長軸径は０．２〜２０．０μｍが好ましく、より好ましくは０．５〜１０．０μｍである。
【００２５】
本発明の酸化亜鉛は、その粒子表面に必要に応じてケイ素、チタン、アルミニウム、ジルコニウム、スズ等の酸化物あるいはそれらのリン酸塩等の無機化合物の被覆層を設けることもできる。また、溶媒、塗料やプラスチックス等への分散性を付与するなどの目的で、有機化合物を被覆しても良く、前記の無機化合物と有機化合物の両者を被覆しても良い。有機化合物としては、例えば、（１）有機ケイ素化合物（（ａ）オルガノポリシロキサン類（ジメチルポリシロキサン、メチル水素ポリシロキサン、メチルメトキシポリシロキサン、メチルフェニルポリシロキサン、ジメチルポリシロキサンジオール、ジメチルポリシロキサンジハイドロジェン等又はそれらの共重合体）、（ｂ）オルガノシラン類（アミノシラン、エポキシシラン、メタクリルシラン、ビニルシラン、メルカプトシラン、クロロアルキルシラン、アルキルシラン、フルオロアルキルシラン等又はそれらの加水分解生成物）、（ｃ）オルガノシラザン類（ヘキサメチルシラザン、ヘキサメチルシクロトリシラザン等）、（２）有機金属化合物（（ａ）有機チタニウム化合物（アミノアルコキシチタニウム、リン酸エステルチタニウム、カルボン酸エステルチタニウム、スルホン酸エステルチタニウム、チタニウムキレート、亜リン酸エステルチタニウム錯体等）、（ｂ）有機アルミニウム化合物（アルミニウムキレート等）、（ｃ）有機ジルコニウム化合物（カルボン酸エステルジルコニウム、ジルコニウムキレート等）等）、（３）ポリオール類（トリメチロールプロパン、トリメチロールエタン、ペンタエリスリトール等）、（４）アルカノールアミン類（モノエタノールアミン、ジエタノールアミン、トリエタノールアミン、モノプロパノールアミン、ジプロパノールアミン、トリプロパノールアミン等）又はその誘導体（酢酸塩、シュウ酸塩、酒石酸塩、ギ酸塩、安息香酸塩等の有機酸塩等）、（５）高級脂肪酸類（ステアリン酸、ラウリン酸、オレイン酸等）又はその金属塩（アルミニウム塩、亜鉛塩、マグネシウム塩、カルシウム塩、バリウム塩等）、（６）高級炭化水素類（パラフィンワックス、ポリエチレンワックス等）又はその誘導体（パーフルオロ化物等）が挙げられる。これらの有機化合物は１種を用いても、２種以上を積層又は混合して用いても良い。化粧料に用いる場合は、オルガノポリシロキサン類、高級脂肪酸類を用いるのが好ましい。無機化合物、有機化合物の被覆量は、酸化亜鉛に対し、０．１〜５０重量％の範囲が好ましく、０．１〜３０重量％の範囲が更に好ましい。酸化亜鉛の粒子表面に前記の無機化合物や有機化合物を被覆させるには、酸化亜鉛の水性スラリー中で、無機化合物あるいは有機化合物を添加し中和するなどして被覆することができる。また、有機化合物を被覆するには別の方法として、前述の乾式粉砕の際に有機化合物を添加し混合することもできる。
【００２６】
本発明の酸化亜鉛は、紫外線遮蔽能があるため紫外線遮蔽材に用いられる。また、酸化亜鉛は、紫外線遮蔽材、白色顔料、充填材等として、日焼け止め化粧料、基礎化粧料等の化粧料に適量配合して用いられる。例えば、前記の酸化亜鉛以外に、通常化粧料の用いられる公知の成分、例えば、（１）溶媒（水、低級アルコール類等）、（２）油剤（高級脂肪酸類、高級アルコール類、オルガノポリシロキサン類（シリコーンオイル）、炭化水素類、油脂類等）、（３）界面活性剤（アニオン性、カチオン性、両性、非イオン性等）、（４）保湿剤（グリセリン類、グリコール等のポリオール系、ピロリドンカルボン酸類等の非ポリオール系等）（５）有機紫外線吸収剤（ベンゾフェノン誘導体、パラアミノ安息香酸誘導体、サリチル酸誘導体等）、（６）酸化防止剤（フェノール系、有機酸又はその塩、酸アミド系、リン酸系等）、（７）増粘剤、（８）香料、（９）着色剤（顔料、色素、染料等）、（１０）生理活性成分（ビタミン類、ホルモン類、アミノ酸類等）、（１１）抗菌剤等が配合されていても良い。化粧料の様態は、固形状、液状、ジェル状等特に制限なく、液状やジェル状の場合、その分散形態も油中水型エマルジョン、水中油型エマルジョン、油型等のいずれでも良い。化粧料中の酸化亜鉛の配合量は、０．１〜５０重量％の範囲が好ましい。
【００２７】
本発明の放熱性組成物は、上記の酸化亜鉛を熱伝導性フィラーとして含有したものであり、樹脂組成物、グリース組成物、塗料組成物などが挙げられる。また、それらを用いて形成するシート、ゲル、エラストマー、プラスチックなどであっても良い。本発明の放熱性組成物中の上記酸化亜鉛の配合量は、目的とする熱伝導性や樹脂組成物の硬度等、樹脂組成物の性能に合わせて任意に決定することができる。上記酸化亜鉛の熱伝導性を十分に発現させるためには、樹脂組成物中の固形分全量に対して１体積％以上が好ましく、５体積％以上がより好ましく、１０体積％以上が更に好ましく、３０体積％以上が最も好ましい。このようにして、熱伝導率が好ましくは０．５Ｗ／ｍ・Ｋ以上とすることができ、より好ましくは１．０Ｗ／ｍ・Ｋ以上、更に好ましくは２．０Ｗ／ｍ・Ｋ以上とすることができる。本発明の放熱性組成物は、電子機器などに取り付けて効率よく放熱する材料として用いることができる。なお、本発明の放熱性組成物には、酸化亜鉛以外に、その他の成分を併用して使用することもでき、例えば、酸化マグネシウム、酸化チタン、酸化アルミニウム等の金属酸化物、窒化アルミニウム、窒化ホウ素、炭化ケイ素、窒化ケイ素、窒化チタン、金属ケイ素、ダイヤモンド等の酸化亜鉛以外の放熱性フィラー、樹脂、界面活性剤等を挙げることができる。
【００２８】
放熱性樹脂組成物は、上記の酸化亜鉛を樹脂と混合して使用することができる。使用する樹脂は、熱可塑性樹脂であっても熱硬化性樹脂であっても良く、エポキシ樹脂、フェノール樹脂、ポリフェニレンサルファイド（ＰＰＳ）樹脂、ポリエステル系樹脂、ポリアミド、ポリイミド、ポリスチレン、ポリエチレン、ポリプロピレン、ポリ塩化ビニル、ポリ塩化ビニリデン、フッ素樹脂、ポリメタクリル酸メチル、エチレン・アクリル酸エチル共重合体（ＥＥＡ）樹脂、ポリカーボネート、ポリウレタン、ポリアセタール、ポリフェニレンエーテル、ポリエーテルイミド、アクリロニトリル−ブタジエン−スチレン共重合体（ＡＢＳ）樹脂、エポキシ、フェノール、液晶樹脂（ＬＣＰ）、シリコン樹脂、アクリル樹脂等の樹脂を挙げることができる。放熱性グリース組成物とする場合、鉱油又は合成油を含有する基油と混合する。合成油としてα−オレフィン、ジエステル、ポリオールエステル、トリメリット酸エステル、ポリフェニルエーテル、アルキルフェニルエーテル、シリコーンオイル等が使用できる。また、放熱性塗料組成物とする場合、樹脂は硬化性を有するものであっても、硬化性を有さないものであっても良い。塗料は、有機溶媒を含有する溶剤系のものであっても、水中に樹脂が溶解又は分散した水系のものであっても良い。
【００２９】
本発明の放熱性組成物は、（１）熱可塑性樹脂と上記酸化亜鉛とを溶融状態で混練して熱成型用の樹脂組成物とする、（２）熱硬化性樹脂と上記酸化亜鉛とを混練後、加熱硬化させて樹脂組成物とする、（３）樹脂溶液又は分散液中に上記酸化亜鉛を分散させて塗料組成物、グリース組成物とすることができる。
【実施例】
【００３０】
以下に本発明の実施例を示すが、本発明はこれらに制限されるものではない。
【００３１】
実施例１
硫酸亜鉛０．３モルとクエン酸０．００３モルを１５０ｃｃの純水に溶解した。次に２Ｌの四つ口フラスコに純水５００ｃｃを入れ、その中に前記の硫酸亜鉛水溶液を添加し、翼径１２ｃｍの２枚羽根の撹拌機を用いて回転数２００ｒｐｍで撹拌下、室温で１．０モルの水酸化ナトリウム、０．６モルの塩化アンモニウムを含む３５０ｃｃの水溶液を添加し、水溶液のｐＨを８．５に調整し、３０分間保持して沈殿物を析出させた。その後、１００℃に昇温し１時間熟成した後、冷却し、濾過・水洗・乾燥して、本発明の酸化亜鉛粉末（試料Ａ）を得た。
この試料Ａは、Ｘ線回折の結果、結晶性の良い酸化亜鉛であることを確認した。また、電子顕微鏡写真（図１）から、六角柱の形状を有し、その柱の平均短軸径が２．５μｍであり、平均長軸径が７．５μｍであった。
なお、実施例１において、水酸化ナトリウムの添加を減らし、水溶液のｐＨを７．９にすることで薄片状の酸化亜鉛（平均わたり径５．０μｍ）とすることができ、更に、水溶液のｐＨを７．５に調整すると六角板状の酸化亜鉛（平均わたり径５．０μｍ）を製造することができた。
【００３２】
実施例２
硫酸亜鉛０．３モルとクエン酸０．００３モルを２５０ｃｃの純水に溶解した。次に２Ｌの四つ口フラスコに前記の硫酸亜鉛水溶液を添加し、翼径１２ｃｍの２枚羽根の撹拌機を用いて回転数２００ｒｐｍで撹拌下、室温で１．０モルの水酸化ナトリウム、０．６モルの塩化アンモニウムを含む２５０ｃｃの水溶液を添加し、水溶液のｐＨを９．０に調整し、３０分間保持して沈殿物を析出させた。その後、１００℃に昇温し１時間熟成した後、冷却し、濾過・水洗・乾燥して、本発明の酸化亜鉛粉末（試料Ｂ）を得た。
この試料Ｂは、Ｘ線回折の結果、結晶性の良い酸化亜鉛であることを確認した。また、電子顕微鏡写真（図１）から、六角柱の形状を有し、端面に開口を有するマカロニ状の形状を有し、その柱の平均短軸径が３．７μｍであり、平均長軸径が８．５μｍであった。
【００３３】
実施例１、２の試料Ａ、Ｂを直接肌にのせてこすった際の感触を評価したところ、のびは良好であり、化粧料に配合すると分散性が良く肌へのすべり感が良くなることがわかった。
【産業上の利用可能性】
【００３４】
本発明は、アミン化合物を使用せずに、薄片状、六角板状、六角柱状又はそれらに類似した形状等の酸化亜鉛を製造することができ、種々の用途に利用することができる。
【図１】
2015182893.tif 000003
【図２】
2015182893.tif 000004